(57)【要約】【課題】ランプ基板にさらに重ねて取り付けられるサブ制御基板を、取り外すことなくランプ基板のみを着脱できる構造を提案する。【解決手段】ランプユニット５０は、基体部５１と、ランプ基板５２と、演出を制御するためのサブ制御基板５４とを備え、ランプ基板５２は、基体部５１の後面側に取り付けられ、サブ制御基板５４は、ランプ基板５２に対して所定の隙間を隔てるとともに、ランプ基板５２の一部を覆うようにランプ基板５２に重ねて取り付けられ、ランプ基板５２は、横長に形成されているとともに、長手方向における両端部がランプユニット５０の後面側に固定され、ランプ基板５２の両端部は、サブ制御基板５４が取り付けられた状態で、サブ制御基板５４に隠蔽されることなく露出し、ランプ基板５２は、演出制御基板５４を取り外すことなく、ランプ基板５２の両端部の固定を解除することで着脱可能である。【選択図】図５
2008006154.tif 000002
【特許請求の範囲】
【請求項１】
スロットマシンその他の遊技機の前面カバーの裏面側に取り付けられ、演出用のランプを有するランプユニットであって、
基体部と、
前記ランプを実装したランプ基板と、
演出を制御するための演出制御基板と
を備え、
前記ランプ基板は、前記基体部の後面側に取り付けられ、
前記演出制御基板は、前記ランプ基板に対して所定の隙間を隔てるとともに、前記ランプ基板の一部を覆うように前記ランプ基板に重ねて取り付けられ、
前記ランプ基板は、横長に形成されているとともに、長手方向における両端部が前記ランプユニットの後面側に固定され、
前記ランプ基板の前記両端部は、前記演出制御基板が取り付けられた状態で、前記演出制御基板に隠蔽されることなく露出し、
前記ランプ基板は、前記演出制御基板を取り外すことなく、前記ランプ基板の前記両端部の固定を解除することで、着脱可能である
ことを特徴とするランプユニット。
【請求項２】
請求項１に記載のランプユニットにおいて、
前記ランプ基板の前記ランプが実装された面と反対側の面における一方端近傍には、コネクタが実装されており、
前記ランプ基板の着脱時に、前記コネクタを把持可能である
ことを特徴とするランプユニット。
【請求項３】
請求項１又は請求項２に記載のランプユニットにおいて、
前記基体部の後面側において、前記ランプ基板の一端側は、断面略Ｌ形の凸部と係合し、前記ランプ基板の他端部は、ネジ止めされている
ことを特徴とするランプユニット。
【請求項４】
請求項１から請求項３までのいずれか１項に記載のランプユニットにおいて、
前記基体部の後面側には、前記ランプ基板の長手方向に沿うように設けられ、前記ランプ基板の装着時に前記ランプ基板を位置決めするための一対の位置決めリブが設けられている
ことを特徴とするランプユニット。
【請求項５】
請求項１から請求項４までのいずれか１項に記載のランプユニットにおいて、
前記演出制御基板は、基板ケース内に収容され、
前記基板ケースは、前記ランプ基板に対して所定の隙間を隔てるとともに、前記ランプ基板の一部を覆うように取り付けられている
ことを特徴とするランプユニット。
【請求項６】
請求項５に記載のランプユニットにおいて、
前記基板ケースの前記ランプ基板側の面には、前記ランプ基板を案内するための一対の案内リブが形成されている
ことを特徴とするランプユニット。
【請求項７】
請求項６に記載のランプユニットにおいて、
前記案内リブ間の間隔は、前記ランプ基板の挿入側から徐々に狭くなるように形成されている
ことを特徴とするランプユニット。
【請求項８】
請求項１から請求項７までのいずれか１項に記載のランプユニットにおいて、
前記演出制御基板は、前記ランプ基板の長手方向において、前記ランプ基板に対して傾斜して取り付けられており、
前記ランプ基板と前記演出制御基板との隙間の大きい側から、前記ランプ基板を着脱できるように形成されている
ことを特徴とするランプユニット。
【発明の詳細な説明】
【技術分野】
【０００１】
本発明は、遊技機、例えばスロットマシンの前面カバーの裏面側に取り付けられ、所定のパターンで発光を行うランプを有するランプユニットに関するものである。
【背景技術】
【０００２】
従来より、遊技機、例えばスロットマシンでは、ランプが設けられるとともに、そのランプを所定のパターンで発光させることで演出を行う技術が知られている（例えば、特許文献１及び特許文献２参照）。
また、例えば、ランプとしてＬＥＤを設け、リプレイの入賞時は青色で点灯させ、チェリーの入賞時は赤色で点灯させること等が行われている。
【特許文献１】特開平４−４４７８５号公報
【特許文献２】特開平７−３１７１７号公報
【０００３】
そして、遊技機（特にスロットマシン）の構造が多様化および複雑化し、遊技機の前面カバーの裏面側には、多種類の基板等が取り付けられる。ここで、ランプを実装したランプ基板は、遊技機の前面カバーの裏面側の一番最初に取り付けられるものである。ランプを、前面カバーの裏面側から、前面側に露出させるためである。
したがって、遊技機の前面カバーの裏面側には、最初にランプ基板が取り付けられ、その後、演出を担当するサブ制御基板（演出制御基板）等が重ねて取り付けられる。
【発明の開示】
【発明が解決しようとする課題】
【０００４】
しかし、前述の従来の技術において、ランプには寿命があるので、ランプが切れたときは、ランプ基板を交換する必要ある。
このとき、ランプ基板の上部を覆うように取り付けられている演出制御基板等を取り外す必要があり、メンテナンスの効率が悪いという問題があった。
そこで、本発明が解決しようとする課題は、ランプ基板にさらに重ねて取り付けられる演出制御基板を、取り外すことなくランプ基板のみを着脱できる構造を提案することである。
【課題を解決するための手段】
【０００５】
請求項１の発明は、スロットマシンその他の遊技機の前面カバーの裏面側に取り付けられ、演出用のランプを有するランプユニットであって、基体部と、前記ランプを実装したランプ基板と、演出を制御するための演出制御基板とを備え、前記ランプ基板は、前記基体部の後面側に取り付けられ、前記演出制御基板は、前記ランプ基板に対して所定の隙間を隔てるとともに、前記ランプ基板の一部を覆うように前記ランプ基板に重ねて取り付けられ、前記ランプ基板は、横長に形成されているとともに、長手方向における両端部が前記ランプユニットの後面側に固定され、前記ランプ基板の前記両端部は、前記演出制御基板が取り付けられた状態で、前記演出制御基板に隠蔽されることなく露出し、前記ランプ基板は、前記演出制御基板を取り外すことなく、前記ランプ基板の前記両端部の固定を解除することで、着脱可能であることを特徴とする。
【０００６】
請求項２の発明は、請求項１に記載のランプユニットにおいて、前記ランプ基板の前記ランプが実装された面と反対側の面における一方端近傍には、コネクタが実装されており、前記ランプ基板の着脱時に、前記コネクタを把持可能であることを特徴とする。
【０００７】
請求項３の発明は、請求項１又は請求項２に記載のランプユニットにおいて、前記基体部の後面側において、前記ランプ基板の一端側は、断面略Ｌ形の凸部と係合し、前記ランプ基板の他端部は、ネジ止めされていることを特徴とする。
【０００８】
請求項４の発明は、請求項１から請求項３までのいずれか１項に記載のランプユニットにおいて、前記基体部の後面側には、前記ランプ基板の長手方向に沿うように設けられ、前記ランプ基板の装着時に前記ランプ基板を位置決めするための一対の位置決めリブが設けられていることを特徴とする。
【０００９】
請求項５の発明は、請求項１から請求項４までのいずれか１項に記載のランプユニットにおいて、前記演出制御基板は、基板ケース内に収容され、前記基板ケースは、前記ランプ基板に対して所定の隙間を隔てるとともに、前記ランプ基板の一部を覆うように取り付けられていることを特徴とする。
【００１０】
請求項６の発明は、請求項５に記載のランプユニットにおいて、前記基板ケースの前記ランプ基板側の面には、前記ランプ基板を案内するための一対の案内リブが形成されていることを特徴とする。
【００１１】
請求項７の発明は、請求項６に記載のランプユニットにおいて、前記案内リブ間の間隔は、前記ランプ基板の挿入側から徐々に狭くなるように形成されていることを特徴とする。
【００１２】
請求項８の発明は、請求項１から請求項７までのいずれか１項に記載のランプユニットにおいて、前記演出制御基板は、前記ランプ基板の長手方向において、前記ランプ基板に対して傾斜して取り付けられており、前記ランプ基板と前記演出制御基板との隙間の大きい側から、前記ランプ基板を着脱できるように形成されていることを特徴とする。
【発明の効果】
【００１３】
本発明によれば、ランプ基板を取り外すときは、長手方向における両端部の固定を解除するとともに、ランプ基板を横方向に引き抜けば、サブ制御基板を取り外すことなく、ランプ基板のみを取り外すことができる。
【発明を実施するための最良の形態】
【００１４】
以下、図面等を参照して、本発明の一実施形態について説明する。
なお、以下では、本発明の遊技機のランプユニット５０を、スロットマシン１０に適用した実施形態を例に挙げている。
また、以下の説明において、「前（面）側」とは、遊技者から見た側を意味し、「後（面）側」とは、本体部１１から見た側を意味するものとする。
【００１５】
（第１実施形態）
図１は、第１実施形態のスロットマシン１０の全体を示す前面側の正面図である。
また、図２は、図１中、スロットマシン１０の前面カバー（フロントマスク部）１２を開放し、本体部１１の内部が見えるように図示した正面図である。
図１及び図２に示すように、スロットマシン１０の筐体は、本体部１１と、本体部１１の前面に取り付けられた開閉自在の前面カバー１２とから構成されている。
【００１６】
ここで、本体部１１は、木材等を組み立てて、前面を開口した箱形に形成したものであり、図２に示すように、本体部１１の内部であって、その下方部には、電源ユニット１０１と、メダルを貯留しておくホッパータンクを含むメダル払出し装置１０２とが設けられている。そして、電源ユニット１０１及びメダル払出し装置１０２の上方部に支持板１０３が設けられ、この支持板１０３上に、リール３１を有するリールユニット３０が３つ並設されている。
【００１７】
一方、前面カバー１２は、本体部１１の前面を覆うようにして、本体部１１に開閉可能に取り付けられたものである。そして、この前面カバー１２には、図１に示すように、その前面側（遊技者側）であってリールユニット３０の下側に位置するように、ベットスイッチ４０、スタートスイッチ４１、及び３つのストップスイッチ４２や、メダル投入口４３、メダル受け皿４４等が配置されている。
【００１８】
また、前面カバー１２の中央部には、表示窓（透明窓）１３が設けられている。そして、この表示窓１３から、本体部１１の内部に取り付けられた３つのリール３１の一部（各リール３１の外周面の一部）が透視できるようになっている。
【００１９】
ここで、各リール３１の外周面には、複数種類の図柄（役を構成する図柄）を印刷したリールテープがそれぞれ貼り付けられている（図１参照）。各リール３１の図柄は、等間隔で２１個有しているとともに、前面カバー１２の表示窓１３からは、各リール３１の上下に連続する３つの図柄が見えるようになっている。そのため、表示窓１３からは、３つのリール３１で合計９個の図柄が透視できることとなる（図１参照）。
【００２０】
そして、図１に示すように、各リール３１の停止時における図柄の組合せラインとなる有効ラインは、水平方向上段、中段、及び下段と、右下がり及び右上がりの斜め方向の各ラインの合計５本となっている（図１中、２点鎖線部）。
【００２１】
また、前面カバー１２の上方部には、上部パネル２３が設けられており、入賞となる図柄の組合せ等の情報が表示されているとともに、後述するＬＥＤ５２ａによって背後から点灯される。
さらに、前面カバー１２の上部の両サイドには、スピーカ２２が取り付けられている。スピーカ２２は、遊技中において各種のサウンド（効果音）を出力するためのものである。
【００２２】
また、本体部１１の内部において、リールユニット３０の上方部には、図２に示すように、透明なケース１０５内に収容されたメイン制御基板１０４が配置されている。このメイン制御基板１０４は、遊技の進行等の全体を統括制御する制御基板であり、図示しないが、演算等を行うＣＰＵ、遊技プログラム及びリール３１の回転方向の位置を特定するための複数のデータを記憶したＲＯＭ、遊技用等のデータを一時的に記憶するＲＡＭ等を備えたものである。なお、メイン制御基板１０４は、不正を防止するため、ケース１０５内に収容された後にかしめされ、封印されている。
【００２３】
一方、前面カバー１２の裏面側には、サブ制御ユニット６０が設けられている。このサブ制御ユニット６０は、遊技中における演出を制御するサブ制御基板（本発明における演出制御基板に相当するもの）５４を含み、図１に示すランプ２１（前面カバー１２に取り付けられた上部ランプ２１及びサイドランプ２１や、図示しないが、リール３１の内周内側に取り付けられたバックランプ）の点灯又は点滅、スピーカ２２からのサウンドの出力、後述するＬＥＤ５２ａの点灯等の制御を行うものであり、図示しないが、演算等を行うＣＰＵ、演出プログラム及び演出用のデータを記憶したＲＯＭ、各種のデータを一時的に記憶するＲＡＭ等を備えている。
【００２４】
なお、サブ制御基板５４は、上記のメイン制御基板１０４の下位に属する基板であり、メイン制御基板１０４とは、図示しないハーネスによって電気的に接続されている。そして、メイン制御基板１０４からサブ制御基板５４に対して演出実行指令等が送信されるようになっている。
このようにして、メイン制御基板１０４によって遊技の進行等の全体が統括制御され、サブ制御基板５４によって遊技中における演出が制御される。
【００２５】
スロットマシン１０の遊技者は、メダル投入口４３からメダルを投入するか、ベットスイッチ４０を操作し、さらに、スタートスイッチ４１を操作する。スタートスイッチ４１がオンされることで、有効ラインが設定されるとともに、全てのリール３１が始動される。
【００２６】
次に、遊技者は、各ストップスイッチ４２を押すことで、各第リール３１の回転を停止させる。全てのリール３１の停止時に、有効ライン上のリール３１の図柄の組合せが予め定められた何らかの役の図柄の組合せと一致し、その役の入賞となったときは、成立役に応じてメダルの払出し等が行われる。
【００２７】
次に、本発明によるランプユニット５０をより詳細に説明する。
図３は、本発明によるランプユニット５０の前面側から見た正面図（図３中、上側の図）及び後面側から見た正面図（図３中、下側の図）である。また、図４は、ランプユニット５０の分解斜視図であり、ランプユニット５０の前面側から見た図である。さらにまた、図５は、ランプユニット５０の分解斜視図であり、ランプユニット５０の後面側から見た図である（なお、図４及び図５においては、スピーカ２２の図示を省略する）。
図３〜図５において、ランプユニット５０は、基体部５１と、ＬＥＤ基板５２と、サブ制御ユニット６０と、スピーカ２２と、スピーカガイド５６とを備える。
【００２８】
基体部５１は、正面から見て略台形状であるとともに、短手方向の断面は、後面側に凸となる略半ドーム状に形成されている。
基体部５１の長手方向の両端部下側近傍には、スピーカガイド５６を取り付けるための  ガイド部５１ａが設けられている。このガイド部５１ａの前面側から、スピーカガイド５５が取り付けられる（嵌合される）。各ガイド部５１ａには、スピーカ２２の取付時に使用される穴５１ｈ（図４参照）が、４箇所に形成されている。
【００２９】
スピーカガイド５６は、スピーカ２２の前面側を保護するとともに、装着されるスピーカ２２を基体部５１に固定するためのものであり、サウンドの出力中の振動を抑える役割も果たすものである。
【００３０】
また、基体部５１には、外縁の４箇所に、ネジ挿入用の穴を有する取付部５１ｃが設けられている。取付部５１ｃの穴の位置と合うように、前面カバー１２の裏面側に、ネジ穴（図示せず）が形成されている。そして、取付部５１ｃの穴からネジを挿入し、ネジ止めすることで、ランプユニット５０が前面カバー１２の裏面側に固定される。
【００３１】
また、図５に示すように、基体部５１の後面側において、略半ドーム状の一部を平坦面にした長方形状の平坦面部５１ｂが形成されている。この平坦面部５１ｂの略中央部に、横長に開口部５１ｉが形成されている。また、この開口部５１ｉの上下側に、それぞれ、所定間隔を隔てて、開口部５１ｉに沿って、位置決めリブ５１ｄが断面凸状に形成されている。
【００３２】
さらにまた、平坦面部５１ｂの領域内において、図５中、右側端部には、断面がＬ形に形成された押さえ部５１ｅが形成されている。一方、平坦面部５１ｂの領域内における図５中、左側端部には、ネジ穴５１ｆが形成されている。
さらにまた、平坦面部５１ｂの周囲には、ネジ穴を有するボス部５１ｇ（４箇所）が設けられている。
【００３３】
ＬＥＤ基板（本発明におけるランプ基板に相当する基板）５２は、図４及び図５に示すように、横長に形成されており、取付時の前面側には、複数のＬＥＤ５２ａ（本発明におけるランプに相当するもの）が実装されている（図４参照）。また、前面側から見て右端部には、穴５２ｃが形成されている。一方、裏面側から見て左端部近傍には、ＬＥＤ基板５２と外部基板とを電気的接続するためのコネクタ５２ｂが実装されている（図５参照）。
【００３４】
サブ制御ユニット６０は、図４及び図５に示すように、前側基板ケース５３、サブ制御基板５４、後側基板ケース５５とから構成されている。なお、前側基板ケース５３及び後側基板ケース５５が、本発明における基板ケースに相当するものである。
前側基板ケース５３は、略正方形の板状に形成されるとともに、４辺に側壁を有するものである。また、外縁の４箇所に、半小判型の形状に縁取られた取付部５３ｃが設けられている。この取付部５３ｃには、穴が形成されている。さらに、前側基板ケース５３の後面の４角部には、ネジ穴を有するボス部５３ｄが設けられている。
【００３５】
サブ制御基板５４は、図４及び図５に示すように、略正方形状に形成され、プログラムを記憶したＲＯＭ５４ａ等の電子部品が実装されている。また、サブ制御基板５４の４角部には、穴５４ｂが形成されている。
【００３６】
後側基板ケース５５は、前側基板ケース５３と同様に、正面から見て略正方形の板状に形成されているとともに、４辺に側壁を有するものである。また、後側基板ケース５５には、通風口５５ａ、ＲＯＭ押さえ５５ｂを有する。さらに、後側基板ケース５５の４角部には、前側に凸となったボス部５５ｃが設けられ、このボス部５５ｃに穴が形成されている（図４参照）。
【００３７】
次に、ランプユニット５０の組立について説明する。図７及び図８は、組立後のランプユニット５０を示す断面図であり、図７は、側面側から見た図を示し、図８は、上側から見た図を示す。
先ず、ランプユニット５０におけるスピーカ２２の取付けについて説明する。なお、スピーカ２２の取り付けは、他の部品の取付けには影響を受けないため、いつ行っても良い。
スピーカ２２を取り付けるために、基体部５１のガイド部５１ａの前面側から、スピーカガイド５６を嵌合させる（図４及び図５参照）。そして、各ガイド部５１ａの後面側から、スピーカ２２を嵌合させる。
【００３８】
このとき、スピーカ２２に形成された穴２２ａ（図３参照）と、ガイド部５１ａに形成された穴５１ｈ（図４参照）と、スピーカガイド５５に形成されたネジ穴（図示せず）とが同軸上に配置される。そして、スピーカ２２の穴２２ａからネジを挿入し、ガイド部５１ａの穴５１ｈを通してスピーカガイド５５のネジ穴にネジ止めする。これにより、スピーカ２２、基体部５１のガイド部５１ａ、及びスピーカガイド５６が一体で固定される。
【００３９】
次に、ＬＥＤ基板５２が基体部５１に取り付けられる。ＬＥＤ基板５２のＬＥＤ５２ａが前面側を向くように（図４参照）取り付けられる。先ず最初に、ＬＥＤ基板５２の図５中、右側端を、基体部５１の押さえ部５１ｅに係合させる。すなわち、押さえ部５１ｅがＬＥＤ基板５２の上側に位置するように係合させる。図６は、押さえ部５１ｅを詳細に説明する図である。図６に示すように、押さえ部５２ｅの下面側には、下面側に向かって凸となる略半球状の凸部５１ｊが設けられている。なお、凸部５１ｊは、押さえ部５１ｅの幅方向に２箇所設けられている。これにより、ＬＥＤ基板５２が挿入されると、ＬＥＤ基板５２の一端部は、凸部５１ｊと圧接する。
【００４０】
そして、ＬＥＤ基板５２を基体部５１側に近づけると、ＬＥＤ基板５２のＬＥＤ５２ａは、基体部５１の開口部５１ｉを通して基体部５１の前面側に露出する。また、ＬＥＤ基板５２は、基体部５１に設けられた一対の位置決めリブ５１ｄの間に配置される。これにより、ＬＥＤ基板５２は、基体部５１の平坦面部５１ｂと面接触する。
【００４１】
このとき、ＬＥＤ基板５２の穴５２ｃと、平坦面部５１ｂに形成されたネジ穴５１ｆとが同軸上に配置される。そして、ＬＥＤ基板５２の穴５２ｃからネジを投入し、基体部５１にネジ止めする。
【００４２】
ＬＥＤ基板５２を取り付けた後、その上側に重なるように、サブ制御ユニット６０を取り付ける。この場合、最初にサブ制御ユニット６０を組み立ててから、サブ制御ユニット６０を基体部５１に取り付けても良いが、最初に前側基板ケース５３を基体部５１に取り付けてから、その前側基板ケース５３にサブ制御基板５４及び後側基板ケース５５を取り付けても良い。以下の説明は、前者の場合である。
【００４３】
先ず、前側基板ケース５３にサブ制御基板５４を取り付ける。サブ制御基板５４は、ＲＯＭ５４ａ側が後側基板ケース５５側となるように配置する。これにより、サブ制御基板５４の穴５４ｂと、前側基板ケース５３のボス部５３ｂのネジ穴とが同軸上に配置される。
この上部に、さらに後側基板ケース５５を取り付けると、後側基板ケース５５のボス部５５ｃの穴と、サブ制御基板５４の穴５４ｂ及び前側基板ケース５３のボス部５３ｄのネジ穴とが同軸上に配置される。また、後側基板ケース５５のＲＯＭ押さえ５５ｂは、サブ制御基板５４のＲＯＭ５４ａと近接する。
【００４４】
この状態で、ネジをボス部５５ｃの穴から挿入し、サブ制御基板５４の穴５４ｂを通過させ、前側基板ケース５３のボス部５３ｄのネジ穴にネジ止めすることで、前側基板ケース５３、サブ制御基板５４、及び後側基板ケース５５が一体となり、サブ制御ユニット６０が形成される。
【００４５】
このサブ制御ユニット６０は、基体部５１に取り付けられる。基体部５１の後面側には、上述したように、サブ制御ユニット６０を取り付けるためのネジ穴を有するボス部５１ｇ（４箇所）が設けられている。このボス部５１ｃは、軸方向において、所定の長さを有する。
このとき、サブ制御ユニット６０は、ＬＥＤ基板５２（基体部５１の平坦面部５１ｂ）に対して、所定の間隔（空隙）を隔てて配置される。
【００４６】
そして、サブ制御ユニット６０を基体部５１に配置するときは、前側基板ケース５３の取付部５３ｃの穴と、基体部５１のボス部５１ｇのネジ穴とを同軸上に配置する。この状態で、前側基板ケース５３の取付部５３ｃの穴からネジを挿入し、基体部５１のボス部５１ｇのネジ穴にネジ止めする。これにより、サブ制御ユニット６０が基体部５１に固定される（図７及び図８参照）。
【００４７】
以上のランプユニット５０において、サブ制御基板５４を保守等のために交換する場合には、サブ制御ユニット６０を取り外しても良いが、サブ制御ユニット６０が基体部５１に取り付けられた状態で、後側基板ケース５５のみを外しても良い。すなわち、サブ制御ユニット６０の後側基板ケース５５のボス部５５ｃの穴にドライバーを挿入し、ネジ（４箇所）を外せば、後側基板ケース５５及びサブ制御基板５４を前側基板ケース５３から分離することができる。なお、サブ制御基板５４に接続されているコネクタも外す。
一方、サブ制御ユニット６０全体を基体部５１から取り外したい場合には、図３の後面図において、前側基板ケース５３の取付部５３ｃにネジ止めされているネジ（４箇所）を外せば、サブ制御ユニット６０を基体部５１から分離することができる。
【００４８】
また、ＬＥＤ５２ａが点灯不可となった場合等、ＬＥＤ基板５２の交換（着脱）を行う場合には、本実施形態では、サブ制御ユニット６０を取り外すことなく、ＬＥＤ基板５２を基体部５１から分離することができる。
図３の後面図に示すように、ＬＥＤ基板５２上に重ねてサブ制御ユニット６０が配置されているが、ＬＥＤ基板５２の図３の後面図中、両端（左端及び右端）は、サブ制御ユニット６０に隠蔽されていないで、露出している。
【００４９】
この状態で、先ず、ＬＥＤ基板５２のコネクタ５２ｂに接続されている配線を抜き取る。次に、穴５２ｃにネジ止めされているネジを外し、ＬＥＤ基板５２を図３の後面図中、左方向に移動させる（引っ張る）と、ＬＥＤ基板５２と、基体部５１の押さえ部５１ｅ（凸部５１ｊ）との係合が解除され、押さえ部５１ｅとＬＥＤ基板５２とを分離することができる。なお、ＬＥＤ基板５２を図３の後面図中、左方向に移動させる際に、ＬＥＤ基板５２のコネクタ５２ｂを把持することができるので、容易に、ＬＥＤ基板５２と、基体部５１の押さえ部５１ｅとの係合を解除することとができる。
【００５０】
ＬＥＤ基板５２と基体部５１の押さえ部５１ｅとの係合が解除した後、ＬＥＤ基板５２を基体部５１の平坦面部５１ｂに面接触させた状態で、図３の後面図中、ＬＥＤ基板５２を左方向に移動させる移動させると、ＬＥＤ基板５２のＬＥＤ５２ａが開口部５１ｉと当接し、それ以上、ＬＥＤ基板５２を図３の後面図中、左方向に移動させることができない。このため、ＬＥＤ基板５２と基体部５１の押さえ部５１ｅとの係合を解除した後は、図９に示すように、ＬＥＤ基板５２の穴５２ｃ側（図９中、左側）を、基体部５１の平坦面部５１ｂから浮かせ、ＬＥＤ５２ａが開口部５１ｉから出た状態（ＬＥＤ基板５２を斜めにした状態）でＬＥＤ基板５２を左方向に移動させれば、ＬＥＤ５２ａと開口部５１ｉとが当接することがない。
以上のようにして、ＬＥＤ基板５２のみを単独で取り外すことができる。
【００５１】
また、ＬＥＤ基板５２を再度装着するときは、図９に示すように、ＬＥＤ基板５２の右側端を、一対の位置決めリブ５１ｄ間に沿わせて、図９中、右方向に移動させれば、上下方向にずれることなく、ＬＥＤ基板５２を正しい方向に案内することができる。また、図９に示すように、斜めにしてＬＥＤ基板５２を移動させれば、ＬＥＤ５２ａをスムーズに開口部５１ｉ内に案内することができる。
【００５２】
そして、全てのＬＥＤ５２ａが開口部５１ｉに入ると、ＬＥＤ基板５２を基体部５１の平坦面部５１ｂに面接触させ、さらにＬＥＤ基板５２を図９中、右側に移動させ、ＬＥＤ基板５２の図９中、右側端部を基体部５１の押さえ部５１ｅに係合させる。
これにより、ＬＥＤ基板５２が基体部５１に位置決めされる。この状態で、ＬＥＤ基板５２の穴５２ｃからネジを挿入し、ネジ止めすれば、ＬＥＤ基板５２を基体部５１に固定することができる。
【００５３】
（第２実施形態）
図１０は、第２実施形態におけるランプユニット５０’を上側から見た平面図である（第１実施形態の図８に対応する図である）。
第２実施形態のランプユニット５０’では、基体部５１’のボス部５１ｇ’の形状のみが異なる。その他は第１実施形態と同様である。
第２実施形態では、図１０に示すように、図中、右側のボス部５１ｇ（図中、紙面に垂直な方向に２箇所）と、左側のボス部５１ｇ’（図中、紙面に垂直な方向に２箇所）とで、長さ（高さ）が異なるように設定されている。
【００５４】
図１０において、ＬＥＤ基板５２の着脱を行う側は、図中、左側であるが、この左側のボス部５１ｇ’が右側のボス部５１ｇより高く（長く）形成されている。
このため、サブ制御ユニット６０は、基体部５１に取り付けられたときは、図９中、左側下がりに傾斜して取り付けられる。
【００５５】
これにより、ＬＥＤ基板５２の着脱の際には、図中、左側下がりに（第１実施形態以上に）傾斜させてＬＥＤ基板５２を着脱することができる。このような着脱により、ＬＥＤ基板５２の着脱をより容易にすることができるとともに、ＬＥＤ基板５２のＬＥＤ５２ａと、開口部５１ｉとの係合をよりスムーズに行うことができる。
【００５６】
（第３実施形態）
図１１は、第３実施形態におけるサブ制御ユニット６０’を前側から見た正面図である。第３実施形態では、前側基板ケース５３’のみが第１実施形態と異なる。
図１１に示すように、前側基板ケース５３’の前面側には、一対の案内リブ５３ｅが設けられている。一対の案内リブ５３ｅは、図１１に示すように、それぞれ長手方向に傾斜して延在されている。そして、一つの案内リブ５３ｅの図１１中、左側の間隔は、Ｘ２に形成されているとともに、右側の間隔は、Ｘ３（＞Ｘ２）に形成されている。
なお、サブ制御ユニット６０’が基体部５１に取り付けられたときの、ＬＥＤ基板５２の着脱側は、図１１中、右側となる。
【００５７】
これに対し、ＬＥＤ基板５２の縦方向の幅は、Ｘ１（＜Ｘ２）に形成されている。
このため、ＬＥＤ基板５２を（交換後に再度）取り付ける際には、ＬＥＤ基板５２を、基体部５１とサブ制御ユニット６０’との間から挿入するとともに、ＬＥＤ基板５２を傾斜させ、ＬＥＤ基板５２の上下縁を、一対の案内リブ５３ｅ間に沿わせれば、ＬＥＤ基板５２を挿入するに従って、ＬＥＤ基板５２の上下方向の位置を、容易に位置決めすることができる。
【図面の簡単な説明】
【００５８】
【図１】第１実施形態のスロットマシンの全体を示す前面側の正面図である。
【図２】図１中、スロットマシンの前面カバーを開放し、本体部の内部が見えるように図示した正面図である。
【図３】本発明によるランプユニットの前面側及び後面側から見た正面図である。
【図４】ランプユニットの分解斜視図であり、ランプユニットの前面側から見た図である。
【図５】ランプユニットの分解斜視図であり、ランプユニットの後面側から見た図である。
【図６】押さえ部を詳細に説明する図である。
【図７】組立後のランプユニットを示す断面図であり、側面側から見た図を示す。
【図８】組立後のランプユニットを示す断面図であり、上側から見た図を示す。
【図９】ＬＥＤ基板の着脱を説明する斜視図である。
【図１０】第２実施形態におけるランプユニットを上側から見た平面図である。
【図１１】第３実施形態におけるサブ制御ユニットを前側から見た正面図である。
【符号の説明】
【００５９】
１０  スロットマシン
１１  基体部
１２  前側カバー（フロントマスク部）
１３  表示窓
２１  ランプ
２２  スピーカ
２２ａ  穴
２３  上部パネル
３０  リールユニット
３１  リール
４０  ベットスイッチ
４１  スタートスイッチ
４２  ストップスイッチ
４３  メダル投入口
４４  メダル受け皿
５０、５０’  ランプユニット
５１、５１’  基体部
５１ａ  ガイド部
５１ｂ  平坦面部
５１ｃ  取付部
５１ｄ  位置決めリブ
５１ｅ  押さえ部
５１ｆ  ネジ穴
５１ｇ、５１ｇ’  ボス部
５１ｈ  穴
５１ｉ  開口部
５１ｊ  凸部
５２  ＬＥＤ基板（ランプ基板）
５２ａ  ＬＥＤ（ランプ）
５２ｂ  コネクタ
５２ｃ  穴
５３、５３’  前側基板ケース（基板ケース）
５３ｃ  取付部
５３ｄ  ボス部
５３ｅ  位置決めリブ
５４  サブ制御基板（演出制御基板）
５４ａ  ＲＯＭ
５４ｂ  穴
５５  後側基板ケース（基板ケース）
５５ａ  通風口
５５ｂ  ＲＯＭ押さえ
５５ｃ  ボス部
５６  スピーカガイド
６０、６０’  サブ制御ユニット
１０１  電源ユニット
１０２  メダル払出し装置
１０３  支持板
１０４  メイン制御基板
１０５  ケース
【図１】
2008006154.tif 000003
【図２】
2008006154.tif 000004
【図３】
2008006154.tif 000005
【図４】
2008006154.tif 000006
【図５】
2008006154.tif 000007
【図６】
2008006154.tif 000008
【図７】
2008006154.tif 000009
【図８】
2008006154.tif 000010
【図９】
2008006154.tif 000011
【図１０】
2008006154.tif 000012
【図１１】
2008006154.tif 000013